(57)【要約】【課題】メッセージの再生データを選択可能とすることで、メッセージを効率的に再生することができるテレビ電話装置を提供する。【解決手段】メッセージに含まれる音声データおよび映像データの少なくともいずれかを予め登録された通信端末１０に送信するテレビ電話装置１００において、通信端末との間で各種データを送受信する送受信部１１０と、音声データおよび映像データを関連付けて別個に記憶する記憶部１２０と、記憶部から音声データおよび映像データの少なくともいずれかを処理データとして読取り所定の処理方式で処理するデータ処理部１３０と、予め登録された通信端末からの指令データおよび予め記憶されている通信設定データの少なくともいずれかに応じて、処理データの種類および所定の処理方式の少なくともいずれかと、処理された処理データを送受信部に出力させるための指示とをデータ処理部に通知する制御部１４０と、を備える。【選択図】図１
2008199548.tif 000002
【特許請求の範囲】
【請求項１】
メッセージに含まれる音声データおよび映像データの少なくともいずれかを予め登録された通信端末に送信するテレビ電話装置において、
通信端末との間で各種データを送受信する送受信部と、
前記音声データおよび前記映像データを関連付けて別個に記憶する記憶部と、
前記記憶部から前記音声データおよび前記映像データの少なくともいずれかを処理データとして読取り所定の処理方式で処理するデータ処理部と、
前記予め登録された通信端末からの指令データおよび予め記憶されている通信設定データの少なくともいずれかに応じて、前記処理データの種類および前記所定の処理方式の少なくともいずれかと、処理された前記処理データを前記送受信部に出力させるための指示とを前記データ処理部に通知する制御部と、
を備えることを特徴とする、テレビ電話装置。
【請求項２】
前記記憶部は、前記メッセージを確認するための権限を有する通信端末の識別情報を前記予め登録された通信端末の前記通信設定データとして記憶していることを特徴とする、請求項１に記載のテレビ電話装置。
【請求項３】
前記記憶部は、前記処理データの種類および／または前記所定の処理方式を前記予め登録された通信端末毎の前記通信設定データとして記憶していることを特徴とする、請求項１または２に記載のテレビ電話装置。
【請求項４】
前記記憶部は、前記処理データの種類および／または前記所定の処理方式を、前記メッセージを送信した通信端末に応じて、前記メッセージ毎の前記通信設定データとして記憶していることを特徴とする、請求項１〜３のいずれかに記載のテレビ電話装置。
【請求項５】
前記制御部は、前記予め登録された通信端末に送信するデータの範囲、フレームレートおよびビットレートの少なくともいずれかを前記送受信部に通知することを特徴とする、請求項１〜４のいずれかに記載のテレビ電話装置。
【請求項６】
前記データ処理部が静止画像作成部を備えることを特徴とする、請求項１〜５のいずれかに記載のテレビ電話装置。
【請求項７】
前記データ処理部が圧縮映像作成部および／または圧縮画像作成部を備えることを特徴とする、請求項１〜６のいずれかに記載のテレビ電話装置。
【請求項８】
前記送受信部がＤＴＭＦ信号受信部を備えており、前記指令データがＤＴＭＦ信号であることを特徴とする、請求項１〜７のいずれかに記載のテレビ電話装置。
【請求項９】
メッセージに含まれる音声データおよび映像データの少なくともいずれかを予め登録された通信端末に送信するテレビ電話装置の制御方法において、
前記音声データおよび前記映像データを関連付けて別個に記憶する記憶ステップと、
前記予め登録された通信端末からの指令データおよび予め記憶されている通信設定データの少なくともいずれかに応じて、前記音声データおよび前記映像データの少なくともいずれかを含む処理データの種類と、前記処理データの所定の処理方式との少なくともいずれかを決定する決定ステップと、
決定された前記処理データを読取り前記所定の処理方式で処理するデータ処理ステップと、
処理された前記処理データを前記予め登録された通信端末に送信する送信ステップと、
を含むことを特徴とする、テレビ電話装置の制御方法。
【請求項１０】
前記メッセージを確認するための権限を有する通信端末の識別情報を前記予め登録された通信端末の前記通信設定データとして記憶するステップをさらに含むことを特徴とする、請求項９に記載の制御方法。
【請求項１１】
前記処理データの種類および／または前記所定の処理方式を前記予め登録された通信端末毎の前記通信設定データとして記憶するステップをさらに含むことを特徴とする、請求項９または１０に記載の制御方法。
【請求項１２】
前記処理データの種類および／または前記所定の処理方式を、前記メッセージを送信した通信端末に応じて、前記メッセージ毎の前記通信設定データとして記憶するステップをさらに含むことを特徴とする、請求項９〜１１のいずれかに記載の制御方法。
【請求項１３】
メッセージに含まれる音声データおよび映像データの少なくともいずれかを予め登録された通信端末に送信するテレビ電話装置に適用されるプログラムにおいて、前記テレビ電話装置を、
通信端末との間で各種データを送受信する送受信手段、
前記音声データおよび前記映像データを関連付けて別個に記憶する記憶手段、
前記記憶手段から前記音声データおよび前記映像データの少なくともいずれかを処理データとして読取り所定の処理方式で処理するデータ処理手段、
前記予め登録された通信端末からの指令データおよび予め記憶されている通信設定データの少なくともいずれかに応じて、前記処理データの種類および前記所定の処理方式の少なくともいずれかと、処理された前記処理データを前記送受信手段に出力させるための指示とを前記データ処理手段に通知する制御手段、
として機能させるためのプログラム。
【発明の詳細な説明】
【技術分野】
【０００１】
本発明は、テレビ電話装置、テレビ電話装置の制御方法およびプログラムに係り、特に、メッセージに含まれる音声データおよび映像データの少なくともいずれかを予め登録された通信端末に送信する、テレビ電話装置、テレビ電話装置の制御方法およびプログラムに関する。
【背景技術】
【０００２】
ＩＰ（Internet Protocol）通信網等、通信網の発達により、音声および映像データを取り扱う通信端末としてテレビ電話装置が普及しつつある。テレビ電話装置は、音声データとともに映像データを取り扱うことができるので、適切な処理手段を備えることにより、音声および映像メッセージ付きの留守番電話機能が実現される。
【０００３】
下記非特許文献１には、テレビ電話機能付き通信端末を用いて留守番電話サービスセンターに音声および映像メッセージを蓄積するシステムの概要が開示されている。本システムは、留守番電話機能を利用する利用者が音声および映像メッセージをセンターの記憶手段に蓄積し、留守中の着信を確認した他の利用者がセンターの記憶手段に蓄積されたメッセージを再生するものである。
【０００４】
また、下記特許文献１には、留守番応答機能を有し、通信相手となる通信端末の種類に応じてテレビ電話装置または通常の電話装置として対応可能なテレビ電話装置が開示されている。
【０００５】
さらに、下記特許文献２には、留守番応答モード時に発呼先端末に適応した応答モードでの動作を行うテレビ電話装置が開示されている。本テレビ電話装置は、留守番応答モードでは、着信時に通信端末に記録モードの選択メニューを送信し、通信端末の選択に基づいて、音声メッセージおよび映像メッセージの少なくともいずれかを記録し、映像データの記録時には、選択メニューで選択された動画モード、静止画モードおよび書画モードに対応した画像処理を行なうものである。
【０００６】
【非特許文献１】報道発表資料“ＦＯＭＡ（登録商標）における留守番電話サービスの機能拡充について”、2006年8月30日、株式会社ＮＴＴドコモ、［平成１９年１月２６日検索］、［online］、インターネット＜URL：http://www.nttdocomo.co.jp/info/news_release/page/20060830a.html＞
【特許文献１】特開平０６−２８４２２０号公報
【特許文献２】特許第３１７７０４２号公報
【発明の開示】
【発明が解決しようとする課題】
【０００７】
しかしながら、いずれのテレビ電話装置でも、留守番電話メッセージの再生に際しては、音声データと同時に映像データを再生することになる。このため、音声および映像メッセージを構成する再生データのデータ量が多くなると、メッセージの再生が長時間となるのみならず、通信費が増加するという問題が生じる。また、メッセージの内容に応じては、音声メッセージの再生のみで十分であり、映像メッセージの再生を要しない場合もある。
【０００８】
本発明は上記問題点に鑑みてなされたものであり、その目的は、メッセージの再生データを選択可能とすることで、メッセージを効率的に再生することができる、新規かつ改良された、テレビ電話装置、テレビ電話装置の制御方法およびプログラムを提供することにある。
【課題を解決するための手段】
【０００９】
上記課題を解決するために、本発明の第１の観点によれば、メッセージに含まれる音声データおよび映像データの少なくともいずれかを予め登録された通信端末に送信するテレビ電話装置が提供される。本テレビ電話装置は、通信端末との間で各種データを送受信する送受信部と、音声データおよび映像データを関連付けて別個に記憶する記憶部と、記憶部から音声データおよび映像データの少なくともいずれかを処理データとして読取り所定の処理方式で処理するデータ処理部と、予め登録された通信端末からの指令データおよび予め記憶されている通信設定データの少なくともいずれかに応じて、処理データの種類および所定の処理方式の少なくともいずれかと、処理された処理データを送受信部に出力させるための指示とをデータ処理部に通知する制御部と、
を備える。
【００１０】
かかる構成によれば、メッセージに含まれる音声データおよび映像データが関連付けて別個に記憶されているので、予め登録された通信端末（登録端末）からの指令データおよび予め記録されている通信設定データの少なくともいずれかに応じて、記憶されている音声データおよび映像データの少なくともいずれかが読取られ所定の処理方式で処理されて通信端末に送信される。
【００１１】
上記記憶部は、メッセージを確認するための権限を有する通信端末の識別情報を予め登録された通信端末の通信設定データとして記憶しているようにしてもよい。かかる構成によれば、登録端末の通信設定データが記憶されているので、登録端末からの着信がテレビ電話装置により確認される。
【００１２】
上記記憶部は、処理データの種類および／または所定の処理方式を予め登録された通信端末毎の通信設定データとして記憶しているようにしてもよい。かかる構成によれば、処理データの種類および／または所定の処理方式が登録端末毎の通信設定データとして記憶されているので、処理データの種類および／または所定の処理方式が登録端末に応じて自動的に選択される。
【００１３】
上記記憶部は、処理データの種類および／または所定の処理方式を、メッセージを送信した通信端末に応じて、メッセージ毎の通信設定データとして記憶しているようにしてもよい。かかる構成によれば、処理データの種類および／または所定の処理方式がメッセージ毎の通信設定データとして記憶されているので、処理データの種類および／または所定の処理方式がメッセージを送信した通信端末に応じて自動的に選択される。
【００１４】
上記制御部は、予め登録された通信端末に送信するデータの範囲、フレームレートおよびビットレートの少なくともいずれかを送受信部に通知するようにしてもよい。かかる構成によれば、データの範囲、フレームレートおよびビットレートの少なくともいずれかが制御部により制御されて通信端末に送信される。
【００１５】
上記データ処理部が静止画像作成部を有するようにしてもよい。かかる構成によれば、映像データから作成された静止画像データが通信端末に送信される。
【００１６】
上記データ処理部が圧縮映像作成部および／または圧縮画像作成部を有するようにしてもよい。かかる構成によれば、映像データから作成された圧縮映像データまたは圧縮画像データが通信端末に送信される。
【００１７】
上記送受信部がＤＴＭＦ（Dial Tone Multi Frequency）信号受信部を備えており、指令データがＤＴＭＦ信号であるようにしてもよい。かかる構成によれば、登録端末からの指令データがＤＴＭＦ信号として受信されるので、登録端末の利用者による操作が容易となる。
【００１８】
また、本発明の第２の観点によれば、メッセージに含まれる音声データおよび映像データの少なくともいずれかを予め登録された通信端末に送信するテレビ電話装置の制御方法が提供される。本制御方法は、音声データおよび映像データを関連付けて別個に記憶する記憶ステップと、予め登録された通信端末からの指令データおよび予め記憶されている通信設定データの少なくともいずれかに応じて、音声データおよび映像データの少なくともいずれかを含む処理データの種類と、処理データの所定の処理方式との少なくともいずれかを決定する決定ステップと、決定された処理データを読取り所定の処理方式で処理するデータ処理ステップと、処理された処理データを予め登録された通信端末に送信する送信ステップと、を含むことを特徴とする。
【００１９】
かかる方法によれば、メッセージに含まれる音声データおよび映像データが関連付けて別個に記憶されているので、通信設定データおよび登録端末からの指令データの少なくともいずれかに応じて、記憶されている音声データおよび映像データの少なくともいずれかが所定の処理方式で処理されて通信端末に送信される。
【００２０】
さらに、本発明の第３の観点によれば、メッセージに含まれる音声データおよび映像データの少なくともいずれかを予め登録された通信端末に送信するテレビ電話装置に適用されるプログラムが提供される。本プログラムは、テレビ電話装置を、通信端末との間で各種データを送受信する送受信手段、音声データおよび映像データを関連付けて別個に記憶する記憶手段、記憶手段から音声データおよび映像データの少なくともいずれかを処理データとして読取り所定の処理方式で処理するデータ処理手段、予め登録された通信端末からの指令データおよび予め記憶されている通信設定データの少なくともいずれかに応じて、処理データの種類および所定の処理方式の少なくともいずれかと、処理された処理データを送受信手段に出力させるための指示とをデータ処理手段に通知する制御手段、として機能させる。
【発明の効果】
【００２１】
以上説明したように、本発明によれば、メッセージの再生データを選択可能とすることで、メッセージを効率的に再生可能な、テレビ電話装置、テレビ電話装置の制御方法およびプログラムを提供することができる。
【発明を実施するための最良の形態】
【００２２】
以下に、添付した図面を参照しながら、本発明の好適な実施形態について詳細に説明する。なお、本明細書および図面において、実質的に同一の機能を有する構成要素については、同一の符号を付することにより重複説明を省略する。
【００２３】
まず、以下では、本発明の第１の実施形態について説明する。図１は、本発明の第１の実施形態に係るテレビ電話装置の構成を示すブロック図である。
【００２４】
図１に示すように、テレビ電話装置１００は、例えば、通常のアナログ電話回線、ＩＳＤＮ（Integrated Services Digital Network）回線やＩＰ通信網を含むデジタル回線等の通信回線５０を介して、通常電話端末や携帯電話端末等の他の通信端末１０に接続される。テレビ電話装置１００は、送受信部１１０、記憶部１２０、データ処理部１３０、制御部１４０、映像出力部１５０、映像入力部１６０および音声入出力部１７０を含む。
【００２５】
送受信部１１０は、他の通信端末１０との間で、例えば、音声データ、映像データ、通信設定データおよび指令データ等の各種データを有線または無線で送受信する。ここで、ＩＰ通信網を用いる場合には、テレビ電話装置１００と通信端末１０との間で、音声データ、映像データ、通信設定データおよび指令データ等の各種データがＩＰパケットとして送受信される。なお、通信端末１０からＤＴＭＦ信号を受信する場合には、送受信部１１０にＤＴＭＦ信号受信部１１２が設けられるようにしてもよい。
【００２６】
記憶部１２０は、例えばＲＯＭ（Read Only Memory）、ＲＡＭ（Random Access Memory）等の記憶装置で構成されており、留守番電話応答時に他の通信端末１０から受信した留守番電話メッセージの音声データおよび映像データを互いに関連付けて別個に記憶する。なお、記憶部１２０は、その一部が例えばハードディスクドライブ等の記録装置で構成されるようにしてもよい。また、記憶部１２０は、留守番電話メッセージを確認するための権限を有する通信端末１０の識別情報や操作情報を含む各種データを通信設定データとして記憶する。ここで、通信端末１０の識別情報とは、通信回線５０上で個々の通信端末１０の識別を可能とするための情報であり、通信回線５０の種類に応じて設定されている番号やアドレス等を意味する。
【００２７】
データ処理部１３０は、送受信部１１０、記憶部１２０および制御部１４０に接続され、留守番電話メッセージの音声データおよび映像データを、管理番号、メッセージ送信元や受信日時等の識別情報やデータの関連付け情報とともに別個に管理し、メッセージ毎に互いに関連付けて記憶部１２０に記憶する。ここで、データの関連付けには、例えばメッセージ毎の音声および映像データを互いに関連付けて識別可能とするタグ等の識別情報が用いられるようにしてもよい。なお、識別情報や関連付け情報は、データと別個に管理されるようにしてもよく、また、例えばデータの名称（識別情報や関連付け情報を含むように割当てられた名称）としてデータとともに管理されるようにしてもよい。
【００２８】
また、データ処理部１３０は、映像出力部１５０、映像入力部１６０および音声入出力部１７０とのインターフェースを有し、入力されたデータに様々な処理を施した上で出力データとして出力する。データ処理部１３０では、映像入力部１６０から入力される映像に係るデータや音声入出力部１７０から入力される音声に係るデータの符号化や、他の通信端末１０から受信した音声データや映像データの復号化が行われる。データ処理部１３０は、記憶部１２０から読取るデータの種類（音声データおよび／または映像データ）の選択や、映像データのフレームレートやビットレートの変換も行う。データ処理部１３０には、映像データから静止画像データを作成する静止画像作成部１３２や圧縮映像・圧縮画像データを作成する圧縮映像・画像作成部１３４を選択的に含むようにしてもよい。
【００２９】
制御部１４０は、例えばＣＰＵ（Central Processing Unit）やＭＰＵ（Micro Processing Unit）等の演算処理装置で構成されており、送受信部１１０を介して他の通信端末１０との間で通信設定データや指令データ等を相互に伝達し、それらのデータに応じて他の構成要素による処理や他の構成要素間での各種データの入出力を制御する。
【００３０】
映像出力部１５０は、例えばＬＣＤ（Liquid Crystal Display）等の表示装置で構成されており、映像入力部１６０から入力される映像に係るデータや送受信部１１０を介して他の通信端末１０から入力された映像データをデータ処理部１３０を介して入力され、映像として出力する。映像入力部１６０は、例えばＣＣＤ（Charge
Coupled Devices）等を備えるデジタルビデオカメラで構成されており、入力された映像の映像データをデータ処理部１３０を介して映像出力部１５０、送受信部１１０または記憶部１２０に出力する。音声入出力部１７０は、例えばマイク装置やスピーカー装置で構成されており、入力された音声をデータ処理部１３０を介して送受信部１１０や記憶部１２０に出力したり、データ処理部１３０を介して送受信部１１０や記憶部１２０から入力される音声データを音声として出力する。
【００３１】
図２および図３は、本発明の第１の実施形態に係るテレビ電話装置による留守番電話メッセージ確認時のシーケンスを示す説明図である。また、図４は、図２および図３に示す留守番電話メッセージ確認時のテレビ電話装置による処理を示すフロー図である。
【００３２】
先述したように、記憶部１２０には、留守番電話メッセージの音声データおよび映像データが識別情報とともに互いに関連付けて別個に記憶されている（Ｓ１０２）。また、記憶部１２０には、留守番電話メッセージを確認するための権限を有する通信端末（登録端末）の識別情報も記憶されている（Ｓ１０４）。ここで、登録端末の識別情報は、制御部１４０を介して通信端末１０との間で事前に登録処理がなされており、通信設定データとして記憶部１２０に記憶されている。
【００３３】
テレビ電話装置１００は、留守番電話応答モードにおいて、まず、他の通信端末１０からの着信を受ける（Ｓ１１１）。制御部１４０は、送受信部１１０を介して着信を確認すると（Ｓ１１２）、着信端末の確認を行う（Ｓ１１４）。着信端末の確認に際しては、通信設定データとして記憶されている登録端末の識別情報と着信端末１０の識別情報とが比較される。これにより、登録端末からの着信が確認される。制御部１４０は、記憶されている登録端末の識別情報のいずれかと着信端末１０の識別情報とが一致する場合には、後続の処理（Ｓ１２１）を行い、一致しない場合には、留守番電話メッセージ確認の処理を終了する。
【００３４】
登録端末からの着信が確認されると、制御部１４０は、メッセージの確認要求の有無を確認する。要求の有無の確認に際しては、例えば、記憶部１２０に記憶されている通信設定データを用いて、音声および／または画像による確認メッセージが送受信部１１０を介して通信端末１０に送信される（Ｓ１２１、Ｓ１２２）。通信端末１０の利用者は、通信端末１０の操作部等を介して、要求の有無について確認応答を行う（Ｓ１２４）。制御部１４０は、確認応答によりメッセージの確認要求が確認された場合（Ｓ１２５〜Ｓ１２８）には、後続の処理（Ｓ１３１）を行い、確認されなかった場合には、留守番電話メッセージ確認の処理を終了する。
【００３５】
メッセージの確認要求が確認されると、制御部１４０は、通信端末１０の利用者に対して確認メッセージの選択を促す。このために、制御部１４０は、記憶部１２０に記憶されている留守番電話メッセージの識別情報および通信設定データを用いて、例えば図５に示すような操作画面２００を構成するために必要とされるデータを、送受信部１１０を介して通信端末１０に送信する（Ｓ１３１、Ｓ１３２）。
【００３６】
図５に示す操作画面２００には、記憶部１２０に記憶されている留守番電話メッセージの一覧が管理番号、送信元および受信日時等の識別情報とともに表示される。メッセージの一覧には、例えばメッセージの既読または未読やメッセージの重要度を表すステータス情報が併せて表示されるようにしてもよい。通信端末１０の利用者は、通信端末１０の表示部に表示されたメッセージの一覧から、操作部を用いて所望のメッセージを選択した上で、確認ボタンを選択する（Ｓ１３４）。例えば、図５に示す例では、管理番号３の留守番電話メッセージが選択されている。この状態で確認ボタンを選択すると、「管理番号３のメッセージが選択された」旨を表す指令データが通信端末１０からテレビ電話装置１００に送信される（Ｓ１３５、Ｓ１３６）。ここで、指令データとしては、ＤＴＭＦ信号が用いられるようにしてもよい。これにより、通信端末１０の利用者は、ＤＴＭＦ信号として指令データを送信できるので操作が容易となる。
【００３７】
ここで、ＤＴＭＦ信号とは、低群周波数(６９７、７７０、８５２、９４１Ｈｚ)と高群周波数(１２０９、１３３６、１４７７、１６３３Ｈｚ)の２つの周波数を合成した信号音で、プッシュホンの番号に対応して０〜９、＊、＃、Ａ、Ｂ、Ｃ、Ｄの１６種類の信号として規定されたものである。例えば、通信端末１０の利用者が操作部の「３」ボタンと「＊」ボタンを続けて押すと、対応する信号音が「管理番号３のメッセージが選択された」旨を表す指令データとしてテレビ電話装置１００の送受信部１１０を介して制御部１４０に入力される。
【００３８】
確認メッセージの選択が終了すると（Ｓ１３８）、制御部１４０は、記憶部１２０に記憶されている通信設定データを用いて、例えば図６に示すような操作画面３００を構成するために必要とされるデータを、送受信部１１０を介して通信端末１０に送信する（Ｓ１４１、Ｓ１４２）。
【００３９】
図６に示す操作画面３００には、確認メッセージの再生方式の一覧が表示される。再生方式としては、「１．音声再生」、「２．映像再生」、「３．音声・映像再生」のいずれかが選択される。通信端末１０の利用者は、通信端末１０の表示部に表示された選択方式の一覧から、操作部を用いて所望の再生方式を選択した上で、確認ボタンを選択する（Ｓ１４４）。例えば、図６に示す例では、「３．音声・映像再生」が選択されている。この状態で確認ボタンを選択すると、「音声・映像再生が選択された」旨を表す指令データが通信端末１０からテレビ電話装置１００に送信される（Ｓ１４５、Ｓ１４６）。ここでも、指令データとしては、確認メッセージの選択の場合と同様に、ＤＴＭＦ信号が用いられるようにしてもよい。
【００４０】
通信端末１０により確認メッセージの選択および再生方式の選択（Ｓ１４８）が行われると、制御部１４０は、送受信部１１０を介して受信した指令データを処理データ指示としてデータ処理部１３０に出力する（Ｓ１５１）。制御部１４０から指令データを入力されると、データ処理部１３０は、選択された確認メッセージおよび再生方式に該当するデータを記憶部１２０から読取る（Ｓ１５２）。すなわち、まず、確認メッセージの選択に対する指令データで選択された識別情報を有するメッセージが選択される。ここで、再生方式として音声再生または映像再生が選択されていれば、データの識別情報を用いて、音声データまたは映像データのうち該当するデータのみが読取られ、音声・映像再生が選択されていれば、関連付け情報により互いに関連付けられた音声データおよび映像データが読取られる。
【００４１】
そして、制御部１４０は、映像データの再生が必要とされているか否かを確認する（Ｓ１５４）。そして、映像データの再生が必要とされている場合には、後続する映像データの再生方式の選択処理（Ｓ１６１〜Ｓ１７１）を行う。一方、音声データのみの再生が必要とされている場合には、映像データの再生方式の選択処理を省略して後続のデータ処理（Ｓ１７２）を行う。
【００４２】
映像データの再生方式の選択に際して、制御部１４０は、記憶部１２０に記憶されている通信設定データを用いて、例えば図７に示すような操作画面４００を構成するために必要とされるデータを、送受信部１１０を介して通信端末１０に送信する（Ｓ１６１、Ｓ１６２）。
【００４３】
図７に示す操作画面４００には、映像データの再生方式の一覧が表示される。再生方式としては、例えば、「１．通常映像再生」、「２．部分映像再生」、「３．静止画像再生」、「４．圧縮映像再生」、「５．圧縮画像再生」のいずれかが選択される。通信端末１０の利用者は、通信端末１０の表示部に表示された選択方式の一覧から、操作部を用いて所望の再生方式を選択した上で、確認ボタンを選択する（Ｓ１６４）。例えば、図７に示す例では、「４．圧縮映像再生」が選択されている。この状態で確認ボタンを選択すると、「圧縮映像再生が選択された」旨を表す指令データが通信端末１０からテレビ電話装置１００に送信される（Ｓ１６５、Ｓ１６６）。ここでも、指令データとしては、確認メッセージの選択の場合と同様に、ＤＴＭＦ信号が用いられるようにしてもよい。
【００４４】
通信端末１０により映像データの再生方式の選択（Ｓ１６８）が行われると、制御部１４０は、送受信部１１０を介して受信した指令データに基づいてデータ処理方式指示をデータ処理部１３０に出力する（Ｓ１７１）。制御部１４０から指示を受けると、データ処理部１３０は、選択された映像データの再生方式に該当する処理を実行する（Ｓ１７２）。
【００４５】
データ処理部１３０では、記憶部１２０から読取られた該当する音声および／または映像データに対して、通信端末１０による再生に必要とされる処理を施す。ここで、映像データの再生が必要とされている場合には、さらに、以下のようなデータ処理を実行する。
【００４６】
映像データ再生方式として、「２．部分映像再生」が選択された場合には、該当する映像データに対して、例えばデータの先頭から１０秒間のデータのみが再生されるように処理を施す。また、「３．静止画像再生」が選択された場合には、該当する映像データに対して、静止画像作成部１３２により、例えば映像データから３秒毎の静止画像データを作成するための処理を施す。また、「４．圧縮映像再生」が選択された場合には、該当する映像データに対して、圧縮映像・画像作成部１３４により、映像サイズを縮小したり、多色映像を二色映像に変換したりすることにより、圧縮映像データを作成するための処理を施す。また、「５．圧縮映像再生」が選択された場合には、該当する映像データに対して、静止画像作成部１３２により静止画像データを作成し、さらに、圧縮映像・画像作成部１３４により、画像サイズを縮小したり、多色画像を二色画像に変換したりすることにより、圧縮画像データを作成するための処理を施す。
【００４７】
該当するデータが記憶部１２０から読取られ、必要に応じた処理が施されると、データ送信処理（Ｓ１７３）に移行する。データ送信処理に際して、制御部１４０は、送信すべき音声データおよび／または映像データを、データ処理部１３０から送受信部１１０に出力する（Ｓ１７３、Ｓ１７４）。そして、送受信部１１０は、入力されたデータに対して、例えばＩＰパケットへの変換等、送信のために必要とされる処理を施した上で、通信端末１０に送信する（Ｓ１７６）。なお、通信端末１０に送信されたメッセージの既読または未読をステータス情報として記憶する場合には、ステータス情報の更新が行われる。
【００４８】
通信端末１０は、テレビ電話装置１００から受信した音声および／または映像データに対して、再生のために必要とされる処理を施し、音声および／または映像データを音声出力部および／または表示部等に出力する（Ｓ１７８）。これにより、通信端末１０の利用者は、所望の音声メッセージおよび／または映像メッセージを確認することができる。
【００４９】
以上説明したように、本実施形態に係るテレビ電話装置１００によれば、受信した留守番電話メッセージに含まれる音声データおよび映像データが関連付けて別個に記憶されているので、通信設定データおよび予め登録された通信端末１０からの指令データの少なくともいずれかに応じて、記憶されている音声データおよび映像データの少なくともいずれかが読取られ、所定の処理方式で処理されて通信端末１０に送信される。これにより、留守番電話メッセージの再生方式を選択可能とすることで、メッセージを効率的に再生することができ、不要なデータの再生に伴う時間ロスや通信費の増加を回避することができる。
【００５０】
つぎに、以下では、本発明の第２の実施形態について説明する。以下では、本実施形態に係るテレビ電話装置および制御方法について説明するが、第１の実施形態と重複する部分についての説明は省略する。
【００５１】
本実施形態に係るテレビ電話装置１００’の記憶部１２０’には、留守番電話メッセージの音声データおよび映像データ、登録端末の識別情報の他に、登録端末毎に事前に登録されている再生方式情報（再生方式情報１）または留守番電話メッセージを送信した通信端末毎に事前に登録されている再生方式情報（再生方式情報２）が記憶されている。これらの再生方式情報は、制御部１４０’を介して登録端末１０との間で事前に登録処理がなされており、通信設定データとして記憶部１２０’に記憶されている。
【００５２】
再生方式情報１は、メッセージ確認を行う通信端末毎に再生データの再生方式を規定するものである。一方、再生方式情報２は、確認メッセージ毎に登録端末によるデータの再生方式を規定するものである。再生方式情報２は、例えば、ある通信端末から送信されたメッセージには自動的に再生方式として音声再生を設定し、他の通信端末から送信されたメッセージには自動的に音声映像再生、特に圧縮映像再生を設定するための情報を含む。なお、再生方式情報２は、登録端末毎に設定されて記憶されるようにしてもよい。これにより、同一送信元からのメッセージに対してメッセージ確認を行う登録端末毎に所望の再生方式が設定されるので、利用者毎の重要度等に応じて設定された再生方式でメッセージが再生されることにより、利用者の利便性が向上する。
【００５３】
図８および図９は、本発明の第２の実施形態に係るテレビ電話装置による留守番電話メッセージ確認時のシーケンスを示す説明図である。また、図１０は、図８および図９に示す留守番電話メッセージ確認時のテレビ電話装置による処理を示すフロー図である。
【００５４】
先述したように、記憶部１２０’には、留守番電話メッセージの音声データおよび映像データが識別情報とともに互いに関連付けて別個に記憶されている（Ｓ１０２）。また、記憶部１２０’には、留守番電話メッセージを確認するための権限を有する通信端末（登録端末）の識別情報、再生方式情報１または再生方式情報２も、通信設定データとして記憶されている（Ｓ１０４）。
【００５５】
テレビ電話装置１００’は、第１の実施形態と同様に、留守番電話応答モードにおいて、まず、他の通信端末１０からの着信を受ける（Ｓ１１１）。制御部１４０’は、送受信部１１０を介して着信を確認すると、着信端末の確認を行う（Ｓ１１２、Ｓ１１４）。登録端末からの着信が確認されると、制御部１３０’は、メッセージの確認要求の有無を確認する（Ｓ１２１〜Ｓ１２８）。メッセージの確認要求が確認されると、制御部１４０’は、通信端末１０の利用者に対して確認メッセージの選択を促す（Ｓ１３１〜Ｓ１３８）。
【００５６】
確認メッセージの選択が終了すると、制御部１４０’は、通信設定データとして記憶されている再生方式情報１または再生方式情報２を用いて、再生方式および映像データの再生方式の確認を行う（Ｓ１８０）。制御部１４０’は、再生方式情報１が通信設定データとして記憶されている場合には、該当する再生方式情報に応じて、登録端末毎に確認メッセージの再生方式等を確認する。また、再生方式情報２が通信設定データとして記憶されている場合には、該当する再生方式情報に応じて、メッセージ毎または登録端末とメッセージとの組合せ毎に確認メッセージの再生方式等を確認する。
【００５７】
確認メッセージの選択および再生方式等の確認が行われると、第１の実施形態と同様に、制御部１４０’は、その旨を表す指示をデータ処理部１３０’に出力する（Ｓ１８１）。そして、データ処理部１３０’は、選択された確認メッセージおよび再生方式に該当するデータを記憶部１２０’から読取り、読取ったデータに適切な処理を施し、制御部１４０’を介して送受信部１１０に出力する（Ｓ１８２、Ｓ１７２〜Ｓ１７４）。送受信部１１０は、入力されたデータに対してＩＰパケットへの変換等の処理を施した上で、通信端末１０に送信する（Ｓ１７６）。
【００５８】
通信端末１０は、テレビ電話装置１００’から受信した音声および／または映像データの再生に必要とされる処理を施し、音声および／または映像データを音声出力部および／または表示部に出力する（Ｓ１７８）。これにより、通信端末の利用者は、所望の音声メッセージおよび／または映像メッセージを確認することができる。
【００５９】
以上説明したように、本実施形態に係るテレビ電話装置１００’によれば、処理データの種類および／または所定の処理方式が登録端末毎または留守番電話メッセージ毎の通信設定データとして記憶されているので、処理データの種類および／または所定の処理方式が登録端末またはメッセージの送信元となる通信端末に応じて自動的に選択される。これにより、留守番電話メッセージの再生方式を自動的に選択可能とすることで、メッセージを効率的に再生することができ、不要なデータの再生に伴う時間ロスや通信費の増加を回避することができる。
【００６０】
本発明に基づく方法は、コンピュータプログラムの形式で実現されるようにしてもよい。この場合、コンピュータプログラムは、テレビ電話装置１００、１００’上、特に制御部１４０、１４０’上で実行可能であって、本発明に基づく方法を実行するためにプログラミングされている。この場合、本発明がコンピュータプログラムによって実行されるので、コンピュータプログラムは、コンピュータプログラムによる実行に適した方法と同様に、本発明を表す。コンピュータプログラムは、記憶部１２０、１２０’上またはコンピュータ読取可能な媒体上に記憶されるようにしてもよい。
【００６１】
以上、添付図面を参照しながら本発明の好適な実施形態について説明したが、本発明は係る例に限定されない。当業者であれば、特許請求の範囲に記載された技術的思想の範疇内において、各種の変更例または修正例に想到し得ることは明らかであり、それらについても当然に本発明の技術的範囲に属するものと了解される。
【００６２】
例えば、上記実施形態の説明では、通信端末１０から受信した留守番電話メッセージをテレビ電話装置１００、１００’が取り扱う場合について説明した。しかし、本発明の適用は、通信端末１０から受信した留守番電話メッセージに限定されることなく、例えば、映像入力部１６０や音声入出力部１７０を介して記憶部１２０、１２０’に予め記憶された伝言メッセージ等の他の種類のメッセージをテレビ電話装置１００、１００’が取り扱う場合にも及ぶものである。この場合にも、予め記憶されたメッセージに含まれる音声データおよび映像データが関連付けて別個に記憶されているので、予め登録された通信端末（登録端末）からの指令データおよび予め記録されている通信設定データの少なくともいずれかに応じて、記憶されている音声データおよび映像データの少なくともいずれかが読取られ所定の処理方式で処理されて通信端末１０に送信される。
【００６３】
また、上記実施形態の説明では、テレビ電話装置１００、１００’がＩＰ通信網を介して通信端末１０との間で各種データをパケットとして送受信する場合について説明した。しかし、ＩＰ通信網の代わりに、通常のアナログ電話回線、ＩＳＤＮ回線を含むデジタル回線等の通信回線５０を介して各種データを送受信するようにしてもよい。
【００６４】
また、上記実施形態の説明では、テレビ電話装置１００、１００’が操作画面２００、３００、４００を介して各種の選択操作を通信端末１０の利用者に促す場合について説明した。しかし、操作画面を介する代わりに、音声メッセージを介して各種の選択操作を促すようにしてもよい。
【図面の簡単な説明】
【００６５】
【図１】本発明の第１の実施形態に係るテレビ電話装置の構成を示すブロック図である。
【図２】本発明の第１の実施形態に係るテレビ電話装置による留守番電話メッセージ確認時のシーケンスを示す説明図（１／２）である。
【図３】本発明の第１の実施形態に係るテレビ電話装置による留守番電話メッセージ確認時のシーケンスを示す説明図（２／２）である。
【図４】図２および図３に示す留守番電話メッセージ確認時のテレビ電話装置による処理を示すフロー図である。
【図５】留守番電話メッセージ確認時の操作画面（メッセージの選択）を示す説明図である。
【図６】留守番電話メッセージ確認時の操作画面（再生方式の選択）を示す説明図である。
【図７】留守番電話メッセージ確認時の操作画面（映像データ再生方式の選択）を示す説明図である。
【図８】本発明の第２の実施形態に係るテレビ電話装置による留守番電話メッセージ確認時のシーケンスを示す説明図（１／２）である。
【図９】本発明の第２の実施形態に係るテレビ電話装置による留守番電話メッセージ確認時のシーケンスを示す説明図である。
【図１０】図８および図９に示す留守番電話メッセージ確認時のテレビ電話装置による処理を示すフロー図（２／２）である。
【符号の説明】
【００６６】
１０    （登録）通信端末
５０    通信回線
１００、１００’    テレビ電話装置
１１０    送受信部
１２０、１２０’    記憶部
１３０、１３０’    データ処理部
１４０、１４０’    制御部
１５０    映像出力部
１６０    映像入力部
１７０    音声入出力部
【図１】
2008199548.tif 000003
【図２】
2008199548.tif 000004
【図３】
2008199548.tif 000005
【図４】
2008199548.tif 000006
【図５】
2008199548.tif 000007
【図６】
2008199548.tif 000008
【図７】
2008199548.tif 000009
【図８】
2008199548.tif 000010
【図９】
2008199548.tif 000011
【図１０】
2008199548.tif 000012